(57)【特許請求の範囲】
【請求項１】
任意の電源電圧を出力する電源回路が設けられ、前記電源回路から出力された電源電圧を出力する電源回路側端子が形成された複数の電源用配線基板と、
負荷によって電子回路が形成され、前記電源回路から出力された電源電圧が入力される電子回路側端子が形成された電子回路用配線基板と、
前記複数の電源用配線基板における電源回路側端子が挿入され、前記複数の電源用配線基板をそれぞれ実装する電源用コネクタと、前記電子回路用配線基板の電子回路側端子が挿入され、前記電子回路用配線基板を実装する電子回路用コネクタと、対応する前記電源用コネクタの電源回路側端子と前記電子回路用コネクタの電子回路側端子とをそれぞれ接続し、前記電源回路から出力された電源電圧を電子回路用配線基板に供給する供給配線とを設けた中継用ボードとを備え、
前記電子回路用配線基板に、前記電子回路用コネクタの電子回路側端子を任意に並列接続して電源電圧を前記負荷に供給する電源共通配線を形成したことを特徴とする並列電源システム。
【請求項２】
任意の電源電圧を出力する電源回路と、前記電源回路から出力された電源電圧を出力する電源回路側端子と、前記電源回路における運転バランスをモニタするモニタ信号を伝達する電源回路側モニタ端子とがそれぞれ設けられた複数の電源用配線基板と、
負荷によって電子回路が形成され、前記電源回路から出力された電源電圧が入力される電子回路側端子と前記モニタ信号を伝達する電子回路側モニタ端子とが設けられた電子回路用配線基板と、
前記複数の電源用配線基板における電源回路側端子、ならびに電源回路側モニタ端子とを挿入して前記複数の電源用配線基板をそれぞれ実装する電源用コネクタと、前記電子回路用配線基板の電子回路側端子、および電子回路側モニタ端子を挿入して前記電子回路用配線基板を実装する電子回路用コネクタと、対応する前記電源回路側端子と前記電子回路側端子とをそれぞれ接続し、前記電源回路から出力された電源電圧を電子回路用配線基板に供給する供給配線と、対応する前記電源回路側モニタ端子と前記電子回路側モニタ端子とをそれぞれ接続し、モニタ信号を伝達するモニタ配線とを設けた中継用ボードとを備え、
前記電子回路用配線基板に、前記電子回路用コネクタの電子回路側端子を任意に並列接続して電源電圧を前記負荷に供給する電源共通配線と、前記電子回路用コネクタの電子回路側モニタ端子を任意に並列接続して伝達する共通モニタ配線とを形成したことを特徴とする並列電源システム。
【請求項３】
任意の電源電圧を出力する電源回路と、前記電源回路から出力された電源電圧を出力する電源回路側端子と、前記電源回路における運転バランスをモニタするモニタ信号を伝達する電源回路側モニタ端子とがそれぞれ設けられた複数の電源用配線基板と、
負荷によって電子回路が形成され、前記電源回路から出力された電源電圧が入力される電子回路側端子と前記モニタ信号を伝達する電子回路側モニタ端子とが設けられた電子回路用配線基板と、
前記複数の電源用配線基板における電源回路側端子、ならびに電源回路側モニタ端子とを挿入して前記複数の電源用配線基板をそれぞれ実装する電源用コネクタと、前記電子回路用配線基板の電子回路側端子、および電子回路側モニタ端子を挿入して前記電子回路用配線基板を実装する電子回路用コネクタと、対応する前記電源回路側端子と前記電子回路側端子とをそれぞれ接続し、前記電源回路から出力された電源電圧を電子回路用配線基板に供給する供給配線と、対応する前記電源回路側モニタ端子と前記電子回路側モニタ端子とをそれぞれ接続し、モニタ信号を伝達するモニタ配線とを設けた中継用ボードとを備え、
前記中継用ボードに、任意の前記電子回路側端子を任意に並列接続して電源電圧を前記負荷に供給する中継用ボード共通配線と、任意の前記電子回路側モニタ端子を任意に並列接続して伝達する中継用ボード共通モニタ配線とを形成し、
前記電子回路用配線基板に、前記電子回路側端子のうち、中継用ボード共通配線によって並列接続されていない電子回路側端子を任意に並列接続して電源電圧を前記負荷に供給する電源共通配線と、前記電子回路側モニタ端子のうち前記中継用ボード共通モニタ配線によって並列接続されていない電子回路側モニタ端子を任意に並列接続して伝達する共通モニタ配線とを形成したことを特徴とする並列電源システム。
【請求項４】
任意の電源電圧を出力する電源回路と、前記電源回路から出力された電源電圧を出力する電源回路側端子と、前記電源回路における運転バランスをモニタするモニタ信号を伝達する電源回路側モニタ端子とがそれぞれ設けられた複数の電源用配線基板と、
負荷によって電子回路が形成され、前記電源回路から出力された電源電圧が入力される電子回路側端子と前記モニタ信号を伝達する電子回路側モニタ端子とが設けられた電子回路用配線基板と、
前記複数の電源用配線基板における電源回路側端子、ならびに電源回路側モニタ端子とを挿入して前記複数の電源用配線基板をそれぞれ実装する電源用コネクタと、前記電子回路用配線基板の電子回路側端子、および電子回路側モニタ端子を挿入して前記電子回路用配線基板を実装する電子回路用コネクタと、対応する前記電源回路側端子と前記電子回路側端子とをそれぞれ接続し、前記電源回路から出力された電源電圧を電子回路用配線基板に供給する供給配線と、対応する前記電源回路側モニタ端子と前記電子回路側モニタ端子とをそれぞれ接続し、モニタ信号を伝達するモニタ配線とを設けた中継用ボードとを備え、
前記電子回路用配線基板に、前記電子回路用コネクタの電子回路側端子を任意に並列接続して電源電圧を前記負荷に供給し、かつ前記電子回路用コネクタの電子回路側モニタ端子を任意に並列接続して伝達する接続切替手段を設けたことを特徴とする並列電源システム。
【請求項５】
任意の電源電圧を出力する電源回路と、前記電源回路から出力された電源電圧を出力する電源回路側端子と、前記電源回路における運転バランスをモニタするモニタ信号を伝達する電源回路側モニタ端子とがそれぞれ設けられた複数の電源用配線基板と、
負荷によって電子回路が形成され、前記電源回路から出力された電源電圧が入力される電子回路側端子と前記モニタ信号を伝達する電子回路側モニタ端子とが設けられた電子回路用配線基板と、
前記複数の電源用配線基板における電源回路側端子を挿入して前記複数の電源用配線基板をそれぞれ実装する電源用コネクタと、前記電子回路用配線基板の電子回路側端子を挿入して前記電子回路用配線基板を実装する電子回路用コネクタとを設け、対応する前記電源回路側端子と前記電子回路側端子とをそれぞれ接続し、前記電源回路から出力された電源電圧を電子回路用配線基板に供給する給電バスと、
対応する前記電源回路側モニタ端子と前記電子回路側モニタ端子とを並列接続する並列配線部とを備え、
前記電子回路用配線基板に、前記電子回路側端子を任意に並列接続して電源電圧を前記負荷に供給する電源共通配線と、前記電子回路用コネクタの電子回路側モニタ端子を任意に並列接続して伝達する共通モニタ配線とを形成したことを特徴とする並列電源システム。
【請求項６】
請求項１〜５記載の並列電源システムを備えたことを特徴とする電子装置。
【発明の詳細な説明】
【０００１】
【発明の属する技術分野】
本発明は、電源システムによる電源供給技術に関し、特に、並列運転を行う電源システムによる電源供給およびその電源システムを備えた電子装置に適用して有効な技術に関するものである。
【０００２】
【従来の技術】
本発明者が検討したところによれば、コンピュータなどの電子装置に電源を供給する電源システムは、複数の電源回路を並列接続し、並列運転して構成されることが知られている。
【０００３】
電源回路の並列接続は、出力端子同士と、必要に応じてオン・オフ制御端子同士や、電力入力端子同士、並列運転制御端子同士などとを接続して実現され、並列運転は、かかる電源回路を同時に運転して、実現される。
【０００４】
図８は、本発明者が検討した並列運転の電源システムの一例を示すブロック図である。この図８において、電源システムは、電源回路３０〜３５、バックボード３６、および電子回路３７，３８から構成されている。
【０００５】
電源回路３０〜３２の出力端子は、バックボード上の給電配線３９に共通に接続され、電源回路３０〜３２の並列運転配線、具体的にはリモートセンス線や並列運転信号線などの線群は、バックボード上の並列運転制御配線４０に共通に接続されており、電源回路３０〜３２が並列接続、並列運転されて第１の電圧チャネルを構成している。
【０００６】
また、電源回路３３〜３５も同様に並列接続、並列運転され、第２の電圧チャネルを構成している。この場合、各電源回路の電流容量は１０Ａなので、各電圧チャネルの電流容量は３０Ａである。
【０００７】
各電圧チャネルは異なる電圧を出力することができる。以上の電源システムに、負荷として電子回路３７，３８が接続されている。各電子回路上にはＬＳＩなどが搭載されている。
【０００８】
このような並列運転の電源システムは種々の理由、目的で利用される。たとえば、小容量の電源で大容量の電源システムを構成したい場合、必要に応じて電源回路を増設・削減したい場合、あるいは冗長構成にして信頼性を高めたい場合などの理由が挙げられる。
【０００９】
なお、この種の電源システムについて詳しく述べてある例としては、１９９２年、サンケン電気株式会社発行、飯野  雅之、井出  治（著）、「サンケン技報」Ｖｏｌ．２４  Ｎｏ．１、Ｐ７３〜Ｐ８２があり、この文献には、並列冗長可能大容量ＩＧＢＴ  ＵＰＳ（Ｉｎｓｕｌａｔｅｄ  Ｇａｔｅ  Ｂｉｐｏｌａｒ  Ｔｒａｎｓｉｓｔｏｒ−Ｕｎｉｎｔｅｒｒｕｐｔａｂｌｅ Ｐｏｗｅｒ  Ｓｕｐｐｌｙ）について記載されている。
【００１０】
【発明が解決しようとする課題】
ところが、上記のような電源システムの接続技術では、次のような問題点があることが本発明者により見い出された。
【００１１】
すなわち、電源システムにおいては、電流容量の変更が要求される場合、あるいは電圧チャネル数の変更が要求される場合などがある。たとえば、第１の電圧チャネルの電流容量を３０Ａから４０Ａに変更し、第２チャネルの電流容量を３０Ａから２０Ａに変更するような場合である。
【００１２】
この仕様変更の理由の具体例としては、電子装置に設けられた電子回路を改良、更新するために内部の半導体装置の一部を変更する場合などである。また、同様に、第２の電圧チャネルの電流容量を３０Ａから２０Ａに減らし、新たに第３の電圧チャネルの増設を要求される場合がある。
【００１３】
このような仕様変更があった場合、前述した並列運転の電源システムでは、該電源システムの再構成が必要となっていしまうという問題がある。
【００１４】
たとえば、並列接続の構成の組替えのために、並列接続部分の改造、交換、あるいはバックボードなどを交換する必要がある。これは、バックボードを新たに設計し、製造し、古いものを廃棄し、交換作業を行う、などの必要が発生するので、コストと時間がかかってしまう。
【００１５】
さらに、この仕様変更に伴って、変更のない電子回路も再設計して製造したり、古い電子回路の廃棄や交換作業などの必要が発生することもある。また、このような変更作業を既に製造した装置あるいは出荷した装置に対して行う場合、バックボードなどは該装置の構造の深部に位置することが通例であることもあって、コストや時間が過大で非現実的になることもあり、この場合、装置全体が廃棄されるか、一部が再利用されて大部分が廃棄される事態になり得て、社会的にも大きな損失を生む事態になり得る。
【００１６】
本発明の目的は、電子回路の設計変更などに伴う電源の仕様変更があった際にも、低コストで、かつ短時間に出力電流やチャネル数をフレキシブルに変更することのできる並列電源システムおよび電子装置を提供することにある。
【００１７】
【課題を解決するための手段】
本発明の並列電源システムは、任意の電源電圧を出力する電源回路が設けられ、該電源回路から出力された電源電圧を出力する電源回路側端子が形成された複数の電源用配線基板と、負荷によって電子回路が形成され、該電源回路から出力された電源電圧が入力される電子回路側端子が形成された電子回路用配線基板と、複数の電源用配線基板における電源回路側端子が挿入され、それら複数の電源用配線基板をそれぞれ実装する電源用コネクタと、電子回路用配線基板の電子回路側端子が挿入され、電子回路用配線基板を実装する電子回路用コネクタと、対応する電源用コネクタの電源回路側端子と電子回路用コネクタの電子回路側端子とをそれぞれ接続し、電源回路から出力された電源電圧を電子回路用配線基板に供給する供給配線とを設けた中継用ボードとを備え、該電子回路用配線基板に、電子回路用コネクタの電子回路側端子を任意に並列接続して電源電圧を負荷に供給する電源共通配線を形成したことを特徴とする。
【００１８】
また、本発明の並列電源システムは、任意の電源電圧を出力する電源回路と、該電源回路から出力された電源電圧を出力する電源回路側端子と、電源回路における運転バランスをモニタするモニタ信号を伝達する電源回路側モニタ端子とがそれぞれ設けられた複数の電源用配線基板と、負荷によって電子回路が形成され、電源回路から出力された電源電圧が入力される電子回路側端子とモニタ信号を伝達する電子回路側モニタ端子とが設けられた電子回路用配線基板と、複数の電源用配線基板における電源回路側端子、ならびに電源回路側モニタ端子とを挿入して複数の電源用配線基板をそれぞれ実装する電源用コネクタと、電子回路用配線基板の電子回路側端子、および電子回路側モニタ端子を挿入して電子回路用配線基板を実装する電子回路用コネクタと、対応する電源回路側端子と電子回路側端子とをそれぞれ接続し、電源回路から出力された電源電圧を電子回路用配線基板に供給する供給配線と、対応する電源回路側モニタ端子と電子回路側モニタ端子とをそれぞれ接続し、モニタ信号を伝達するモニタ配線とを設けた中継用ボードとを備え、電子回路用配線基板に、電子回路用コネクタの電子回路側端子を任意に並列接続して電源電圧を負荷に供給する電源共通配線と、電子回路用コネクタの電子回路側モニタ端子を任意に並列接続して伝達する共通モニタ配線とを形成したことを特徴とする。
【００１９】
さらに、本発明の並列電源システムは、任意の電源電圧を出力する電源回路と、該電源回路から出力された電源電圧を出力する電源回路側端子と、電源回路における運転バランスをモニタするモニタ信号を伝達する電源回路側モニタ端子とがそれぞれ設けられた複数の電源用配線基板と、負荷によって電子回路が形成され、電源回路から出力された電源電圧が入力される電子回路側端子とモニタ信号を伝達する電子回路側モニタ端子とが設けられた電子回路用配線基板と、複数の電源用配線基板における電源回路側端子、ならびに電源回路側モニタ端子とを挿入して複数の電源用配線基板をそれぞれ実装する電源用コネクタと、電子回路用配線基板の電子回路側端子、および電子回路側モニタ端子を挿入して電子回路用配線基板を実装する電子回路用コネクタと、対応する電源回路側端子と電子回路側端子とをそれぞれ接続し、電源回路から出力された電源電圧を電子回路用配線基板に供給する供給配線と、対応する電源回路側モニタ端子と電子回路側モニタ端子とをそれぞれ接続し、モニタ信号を伝達するモニタ配線とを設けた中継用ボードとを備え、その中継用ボードに、任意の前記電子回路側端子を任意に並列接続して電源電圧を負荷に供給する中継用ボード共通配線と、任意の前記電子回路側モニタ端子を任意に並列接続して伝達する中継用ボード共通モニタ配線とを形成し、電子回路用配線基板に、電子回路側端子のうち、中継用ボード共通配線によって並列接続されていない電子回路側端子を任意に並列接続して電源電圧を負荷に供給する電源共通配線と、電子回路側モニタ端子のうち中継用ボード共通モニタ配線によって並列接続されていない電子回路側モニタ端子を任意に並列接続して伝達する共通モニタ配線とを形成したことを特徴とする。
【００２０】
また、本発明の並列電源システムは、任意の電源電圧を出力する電源回路と、該電源回路から出力された電源電圧を出力する電源回路側端子と、電源回路における運転バランスをモニタするモニタ信号を伝達する電源回路側モニタ端子とがそれぞれ設けられた複数の電源用配線基板と、負荷によって電子回路が形成され、電源回路から出力された電源電圧が入力される電子回路側端子とモニタ信号を伝達する電子回路側モニタ端子とが設けられた電子回路用配線基板と、複数の電源用配線基板における電源回路側端子、ならびに電源回路側モニタ端子とを挿入して複数の電源用配線基板をそれぞれ実装する電源用コネクタと、電子回路用配線基板の電子回路側端子、および電子回路側モニタ端子を挿入して電子回路用配線基板を実装する電子回路用コネクタと、対応する電源回路側端子と電子回路側端子とをそれぞれ接続し、電源回路から出力された電源電圧を電子回路用配線基板に供給する供給配線と、対応する電源回路側モニタ端子と電子回路側モニタ端子とをそれぞれ接続し、モニタ信号を伝達するモニタ配線とを設けた中継用ボードとを備え、電子回路用配線基板に、電子回路用コネクタの電子回路側端子を任意に並列接続して電源電圧を負荷に供給し、かつ電子回路用コネクタの電子回路側モニタ端子を任意に並列接続して伝達する接続切替手段を設けたことを特徴とする。
【００２１】
さらに、本発明の並列電源システムは、任意の電源電圧を出力する電源回路と、該電源回路から出力された電源電圧を出力する電源回路側端子と、電源回路における運転バランスをモニタするモニタ信号を伝達する電源回路側モニタ端子とがそれぞれ設けられた複数の電源用配線基板と、負荷によって電子回路が形成され、電源回路から出力された電源電圧が入力される電子回路側端子とモニタ信号を伝達する電子回路側モニタ端子とが設けられた電子回路用配線基板と、複数の電源用配線基板における電源回路側端子を挿入して複数の電源用配線基板をそれぞれ実装する電源用コネクタと、電子回路用配線基板の電子回路側端子を挿入して電子回路用配線基板を実装する電子回路用コネクタとを設け、対応する電源回路側端子と電子回路側端子とをそれぞれ接続し、前記電源回路から出力された電源電圧を電子回路用配線基板に供給する給電バスと、対応する電源回路側モニタ端子と電子回路側モニタ端子とを並列接続する並列配線部とを備え、電子回路用配線基板に、電子回路側端子を任意に並列接続して電源電圧を負荷に供給する電源共通配線と、電子回路用コネクタの電子回路側モニタ端子を任意に並列接続して伝達する共通モニタ配線とを形成したことを特徴とする。
【００２２】
また、本発明の電子装置は、前記並列電源システムを備えたことを特徴とする。
【００２３】
【発明の実施の形態】
以下、本発明の実施の形態を図面に基づいて詳細に説明する。
【００２４】
（実施の形態１）
図１は、本発明の実施の形態１による並列電源システムの構成説明図、図２は、図１の並列電源システムの電流容量の仕様を変更した際の構成説明図、図３は、図１の並列電源システムを用いて構成された電子装置の構成説明図である。
【００２５】
本実施の形態１において、並列電源システムは、図１に示すように、電源回路１〜６、バックボード（中継用ボード）７、および電子回路８から構成されている。電源回路１〜６は、電源回路を構成する電子部品がプリント配線基板（電源用配線基板）に実装されて構成されており、負荷である電子回路８に供給する電源を安定化して供給する。
【００２６】
電源回路１〜６には、生成した電源を出力する電源端子（電源回路側端子）ＶOUT １〜ＶOUT ６、および各々の電源回路１〜６における運転バランスのモニタ用の端子であり、モニタ信号が伝達される並列運転制御端子（電源回路側モニタ端子）ＰＣ１〜ＰＣ６が設けられている。これら電源回路１〜６には、出力する電源電圧を任意に調整する調整機構が設けられている。
【００２７】
また、電子回路８は、半導体集積回路装置などの４つの負荷がプリント配線基板（電子回路回路配線基板）に実装された構成となっている。これら電源回路１〜６、ならびに電子回路８は、バックボード７にそれぞれ実装される。ここで、負荷は、前述の半導体集積回路装置以外でもよく、リレーやモータなどの様々な電子部品であればよい。
【００２８】
電子回路８には、バックボード７を介して電源回路１〜６の電源端子ＶOUT １〜ＶOUT ６に接続される電源端子（電子回路側端子）ＶIN１〜ＶIN６、ならびに同じくバックボード７を介して電源回路１〜６の並列運転制御端子ＰＣ１〜ＰＣ６に接続される並列運転制御端子（電子回路側モニタ端子）ＰＣ１ａ〜ＰＣ６ａとが設けられている。
【００２９】
そして、電子回路８には、電源端子ＶIN１〜ＶIN３を共通に接続して電源を供給する電源配線（電源共通配線）ＤＨ１、電源端子ＶIN４〜ＶIN６を共通に接続して電源を供給する電源配線（電源共通配線）ＤＨ２、並列運転制御端子ＰＣ１ａ〜ＰＣ３ａを共通に接続する並列運転制御配線（共通モニタ配線）ＰＣＨ１、ならびに並列運転制御端子ＰＣ４ａ〜ＰＣ６ａを共通に接続する並列運転制御配線（共通モニタ配線）ＰＣＨ２が、それぞれ形成されている。
【００３０】
さらに、バックボード７には、電源回路１〜６の電源端子ＶOUT １〜ＶOUT ６、並列運転制御端子ＰＣ１〜ＰＣ６が接続されるコネクタ（電源用コネクタ）ＥＣＣ、ならびに電子回路８の電源端子ＶIN１〜ＶIN６、並列運転制御端子ＰＣ１ａ〜ＰＣ６ａが接続されるコネクタ（電子回路用コネクタ）ＤＣＣがそれぞれ備えられており、これらコネクタＥＣＣ，ＤＣＣに、電源回路１〜６、ならびに電子回路８がそれぞれプラグイン実装される。
【００３１】
また、バックボード７には、これらコネクタＤＣＣ，ＥＣＣ間を接続する配線（供給配線）ＨＰがそれぞれ形成されている。そして、各々の配線ＨＰによって対応する電源端子ＶOUT １〜ＶOUT ６と電源端子ＶIN１〜ＶIN６、および対応する並列運転制御端子ＰＣ１〜ＰＣ６と並列運転制御端子ＰＣ１ａ〜ＰＣ６ａとがそれぞれ接続されている。
【００３２】
このバックボード７の配線ＨＰは、前述したように、対応する１対１の端子間だけを接続したものであり、各電源回路１〜６の出力を並列接続するための配線は施されていない。
【００３３】
また、電子回路８のプリント配線基板においては、電源配線ＤＨ１によって電源回路１〜３が並列接続されて第１の電圧チャネルを構成しており、電源配線ＤＨ２によって電源回路４〜６が並列接続されて第２の電圧チャネルを構成している。
【００３４】
次に、本実施の形態における並列電源システムの仕様変更について説明する。
【００３５】
ここでは、並列電源システムに電流容量の仕様変更の要求が発生し、第１の電圧チャネルの電流容量を３０Ａから４０Ａに変更し、第２チャネルの電流容量を３０Ａから２０Ａに変更する要求が発生した場合について説明する。また、各電源回路１〜６の電流容量は１０Ａとする。よって、第１、第２の電圧チャネルの電流容量はそれぞれ３０Ａである。
【００３６】
まず、並列電源システムに前述した電流容量の仕様変更が発生すると、図２に示すように、第１の電圧チャネルでは、電源回路１〜４を並列運転させるように変更し、第２の電圧チャネルにおいては、電源回路５，６を並列運転させるように変更する。
【００３７】
この場合、電源回路１〜６を並列接続しているのはバックボード７でなく、電子回路８に形成されている電源配線ＤＨ１，ＤＨ２である。また、電子回路８は電流容量の仕様変更をしなければならないので、この仕様変更の際に電源配線ＤＨ１，ＤＨ２、ならびに並列運転制御配線ＰＣＨ１，ＰＣＨ２の配線も同時に変更することができる。
【００３８】
よって、第１、第２の電圧チャネルにおける電流容量の変更を容易に、かつ短時間で行うことができ、並列電源システムの変更のコストと時間とを大幅に少なくすることができる。
【００３９】
すなわち、この電子回路８の電源配線ＤＨ１，ＤＨ２、および並列運転制御配線ＰＣＨ１，ＰＣＨ２を変更して、各々の電源回路１〜６の並列接続を行うことにより、並列接続の変更設計は、仕様変更を発生させた電子回路の再設計の際に同時に行えばよく、並列電源システムの仕様変更に伴う設計変更のコストは微小である。
【００４０】
また、電子回路８は、前述したように、プリント配線基板に電子部品が実装された構成であるので、並列電源システムの仕様変更に伴う製造コストの増加はゼロである。
【００４１】
これ以外に仕様変更に伴う改造作業や交換作業はないので、バックボード７などが装置の構造の深部に位置していて改造や交換が不可能な状況であっても、装置を廃棄することなく、並列電源システムの仕様変更を実現することができる。
【００４２】
ここで、並列電源システムを用いて構成した電子装置ＤＳの一例を図３に示す。この電子装置ＤＳは、電子回路８の他に、並列電源システムに電源が供給される電子回路９、ならびに様々な周辺回路などからなる電子回路１０が備えられた構成となっている。
【００４３】
このような構成の電子装置ＤＳにおいて、並列電源システムの仕様変更が発生した場合に、電子装置ＤＳの廃棄などを回避することも含めて、並列電源システムの変更のコストと時間とを最小限にすることができることは明らかである。
【００４４】
それにより、本実施の形態１によれば、電流容量の仕様変更の際に電子回路８の電源配線ＤＨ１，ＤＨ２、および並列運転制御配線ＰＣＨ１，ＰＣＨ２の配線を変更するだけでよく、電源回路１〜６、およびバックボード７の変更を不要にすることができるので  並列電源システムの仕様変更に伴うコスト、ならびに時間を大幅に少なくすることができる。
【００４５】
また、本実施の形態１では、第１の電圧チャネルの電流容量を４０Ａ、第２チャネルの電流容量を２０Ａに変更した場合について記載したが、たとえば、第２の電圧チャネルの電流容量を３０Ａから２０Ａに減らす一方、新たにある電圧レベルの第３の電圧チャネルを増設する要求があった仕様変更があった場合には、電子回路８における並列接続を図４に示すように変更すれば実現することができる。
【００４６】
すなわち、図４において、第１の電圧チャネルでは、電源回路１〜３を並列運転させるように変更し、第２の電圧チャネルにおいては、電源回路４，５を並列運転させるように変更し、電源回路６は、単独運転として新たに電源を供給する第３のチャネルとなる。
【００４７】
この場合、第３のチャネルとして電源を供給する電源配線ＤＨ３を新たに電子回路８に形成する。ここでも、仕様変更に対して、前述した仕様変更と同様に、変更するのは電流容量の仕様変更を行う電子回路８であるので、装置の廃棄などを回避できて、この仕様変更に伴う並列電源システムの変更のコストと時間は最小限にすることができる。
【００４８】
（実施の形態２）
図５は、本発明の実施の形態２による並列電源システムの構成説明図である。
【００４９】
本実施の形態２において、並列電源システムは、前記実施の形態１と同様に、電源端子ＶOUT １〜ＶOUT ６、および並列運転制御端子ＰＣ１〜ＰＣ６が設けられた電源回路１〜６、バックボード（中継ボード）７ａ、および電子回路８ａから構成されている。
【００５０】
電子回路８ａには、電源端子ＶIN１，ＶIN２の代わりに設けられた電源端子ＶINＣ、電源端子ＶIN３〜ＶIN６と、並列運転制御端子ＰＣ１ａ，ＰＣ２ａの代わりに設けられた並列運転制御端子（電子回路側モニタ端子）ＰＣＣ、並列運転制御端子ＰＣ３ａ〜ＰＣ６ａとが設けられている。
【００５１】
バックボード７ａには、電源端子ＶOUT １〜ＶOUT ６、並列運転制御端子ＰＣ１〜ＰＣ６が接続されるコネクタ（電源用コネクタ）ＥＣＣａ、および電源端子ＶINＣ，ＶIN３〜ＶIN６、並列運転制御端子ＰＣＣ，ＰＣ３ａ〜ＰＣ６ａが接続されるコネクタＤＣＣａ（電子回路用コネクタ）が設けられている。
【００５２】
さらに、バックボード７ａには、電源回路１，２の電源端子ＶOUT １，ＶOUT ２、ならびに並列運転制御端子ＰＣ１，ＰＣ２をそれぞれ並列接続する電源配線（中継用ボード共通配線）ＤＨＢ、および並列運転制御配線（中継用ボード共通モニタ配線）ＰＣＨＢがそれぞれ形成されている。
【００５３】
電源回路１，２の電源端子ＶOUT １と電源端子ＶOUT ２とは、電源配線ＤＨＢによって並列接続されており、この電源配線ＤＨＢは、電子回路８ａの電源端子ＶINＣに接続されている。
【００５４】
また、並列運転制御端子ＰＣ１と並列運転制御端子ＰＣ２とは、並列運転制御配線ＰＣＨＢによって並列接続されており、並列運転制御配線ＰＣＨＢは、電子回路８ａの並列運転制御端子ＰＣＣに接続されている。
【００５５】
このように、電源回路１，２に変更が生じないことが予め判っている場合などには、バックボード７ａに電源端子ＶOUT １〜ＶOUT ６、および並列運転制御端子ＰＣ１〜ＰＣ６をそれぞれ並列接続する電源配線ＤＨＢ、並列運転制御配線ＰＣＨＢをそれぞれ形成するようにしてもよい。
【００５６】
それにより、本実施の形態２においても、前記実施の形態１と同様に、変更は電流容量の仕様変更の要求を発生させた電子回路８であり、装置の廃棄などを回避できて、この仕様変更に伴う並列電源システムの変更のコストと時間を最小限にすることができる。
【００５７】
（実施の形態３）
図６は、本発明の実施の形態３による並列電源システムの構成説明図である。
【００５８】
本実施の形態３においては、並列電源システムが、電源端子ＶOUT １〜ＶOUT ６、および並列運転制御端子ＰＣ１〜ＰＣ６が設けられた電源回路１〜６、給電バス１１、並列接続部（並列配線部）１２、ならびに電源端子ＶIN１〜ＶIN６が設けられた電子回路８から構成されている。
【００５９】
給電バス１１は、電流容量が大きく、プリント基板で製作されることが多いバックボードでは電流容量が不足する場合などに利用される。また、並列接続部１２は、プリント配線基板などから構成されている。
【００６０】
給電バス１１には、電源回路１〜６の電源端子ＶOUT １〜ＶOUT ６が接続されるコネクタ（電源用コネクタ）ＥＣＣｂ、ならびに電子回路８の電源端子ＶIN１〜ＶIN６が接続されるコネクタ（電子回路用コネクタ）ＤＣＣｂが、それぞれ設けられており、これらコネクタＥＣＣｂ，ＤＣＣｂに、電源回路１〜６、ならびに電子回路８がそれぞれプラグイン実装される。
【００６１】
また、バックボード７には、これらコネクタＤＣＣｂ，ＥＣＣｂ間を接続する配線ＨＰがそれぞれ形成され、これら配線ＨＰによって対応する電源端子ＶOUT １〜ＶOUT６と電源端子ＶIN１〜ＶIN６とがそれぞれ接続されている。
【００６２】
さらに、並列接続部１２には、電源回路１〜６の並列運転制御端子ＰＣ１〜ＰＣ６が接続されるコネクタＰＳＣが設けられており、このコネクタＰＳＣの各端子は、並列接続部１２に形成された配線ＰＨによって共通接続されている。
【００６３】
また、電子回路８には、電源端子ＶIN１〜ＶIN３を介して負荷に電源を供給する電源配線ＤＨ１、および電源端子ＶIN４〜ＶIN６を介して負荷に電源を供給する電源配線ＤＨ２がそれぞれ形成されている。
【００６４】
この場合、並列電源システムの仕様変更が発生した際に、その変更内容に応じて、電子回路８の変更と同時に電源配線ＤＨ１，ＤＨ２を変更すればよいことになり、電源回路１〜６、給電バス１１、あるは装置の改造や廃棄などを回避することができる。
【００６５】
また、付随的に発生することのある並列接続部１２の変更は、該並列接続部１２を安価に設計することによって低コストにすることができる。また、並列接続部１２に交換をコネクタＰＳＣによって行ったり、ハードウェアあるいはソフトウェア制御のスイッチで行うことにより、容易に交換、あるいは変更できるようになり、交換、変更時間を短縮することができる。
【００６６】
それにより、本実施の形態３でも、並列電源システムの仕様変更に伴う変更のコストや時間を小さくすることができる。
【００６７】
また、本実施の形態３によれば、電源回路１〜６と電子回路８とを給電バス１１を介して接続したが、該給電バス１１の代わりにバックボードを用いた構成としてもよい。
【００６８】
この場合、並列接続部１２を電子回路とは別のプリント基板などで構成して電子回路の一形態とみなすこともできて、これは、電子回路が複数あって、並列接続点を一つの電子回路上に固定することが有益でない場合などに有効である。
【００６９】
（実施の形態４）
図７は、本発明の実施の形態４による並列電源システムの構成説明図である。
【００７０】
本実施の形態４においては、並列電源システムが、電源端子ＶOUT １〜ＶOUT ６、および並列運転制御端子ＰＣ１〜ＰＣ６が設けられた電源回路１〜６、コネクタＤＣＣ，ＥＣＣ、および配線ＨＰが設けられたバックボード７、ならびに電子回路８ｂから構成されている。
【００７１】
電源回路１〜６、およびバックボード７の構成は、前記実施の形態１と同様であり、電子回路８ｂに出力・並列接続切替機構（接続切替手段）ＫＫが設けられている点が異なっている。
【００７２】
この出力・並列接続切替機構ＫＫは、トランジスタなどのスイッチング素子などのスイッチング手段からなり、これらスイッチング手段の接続先を設定情報に基づいて切り替えることによって、並列電源システムの仕様変更に際して、電源回路１〜６の並列運転の台数などの組合わせを変更する。この設定情報を変更する方法は、スイッチなどのハードウェアでもソフトウェアでも他でもよい。
【００７３】
よって、この場合も、並列電源システムの変更のコストと時間の最小限化を実現することができ、かつ並列電源システムの変更が設定情報のみとなるので、より最小限化することができる。
【００７４】
それにより、本実施の形態４においては、並列電源システムの仕様変更が発生した場合に、装置の廃棄などを回避することも含めて、並列電源システムの変更のコストと時間を最小限にすることができる。
【００７５】
また、本実施の形態４では、図１の並列電源システムにおける電源配線ＤＨ１，ＤＨ２、並列運転制御配線ＰＣＨ１，ＰＣＨ２の代わりに出力・並列接続切替機構ＫＫを設けた構成としたが、他のいかなる実施の形態の並列電源システムにおける電子回路の電源配線、並列運転制御配線の代わりとして用いるようにしても同様の効果があることは明らかである。
【００７６】
本発明は前記実施の形態に限定されるものではなく、その要旨を逸脱しない範囲で種々変更可能であることはいうまでもない。
【００７７】
また、前記実施の形態１〜４においては、電源回路、ならびに電子回路をバックボード、または給電バスにプラグイン実装する場合について記載したが、プラグイン実装する実装ボードは、バックボード、または給電バス以外でもよく、たとえば、コンピュータのマザーボードなどやその他のものであっても同等の効果を得ることができる。
【００７８】
さらに、実施の形態１〜４では、電源回路の電流容量が等しい例について説明したが、異なる電流容量のものを使用すれば、たとえば１０Ａと５Ａの電源を使用すれば、５Ａ単位のより木目細かい仕様変更に対応することができる。
【００７９】
また、電源の並列運転の方式によっては並列運転端子のないものもあり、他の方法で接続変更の可能な場合もあるので、本発明の主眼は、電源の出力端子の並列接続点にある。
【００８０】
【発明の効果】
（１）本発明によれば、並列電源システムの仕様変更が発生した場合に、バックボードや変更のない電子回路などをそのまま使用することができるので、並列電源システムの変更にかかるコスト、ならびに時間を大幅に少なくすることができる。
【００８１】
（２）また、本発明では、上記（１）により、並列電源システムを用いて構成された電子装置の廃棄なども回避することができるので、該電子装置を長寿命化することができる。
【図面の簡単な説明】
【図１】本発明の実施の形態１による並列電源システムの構成説明図である。
【図２】図１の並列電源システムの電流容量の仕様を変更した際の構成説明図である。
【図３】図１の並列電源システムを用いて構成された電子装置の構成説明図である。
【図４】本発明の他の実施の形態による並列電源システムの構成説明図である。
【図５】本発明の実施の形態２による並列電源システムの構成説明図である。
【図６】本発明の実施の形態３による並列電源システムの構成説明図である。
【図７】本発明の実施の形態４による並列電源システムの構成説明図である。
【図８】本発明者が検討した並列電源システムの構成説明図である。
【符号の説明】
１〜６…電源回路、７，７ａ…バックボード（中継用ボード）、８〜８ｂ…電子回路、９，１０…電子回路、１１…給電バス、１２…並列接続部（並列配線部）、ＶOUT １〜ＶOUT ６…電源端子（電源回路側端子）、ＰＣ１〜ＰＣ６…並列運転制御端子（電源回路側モニタ端子）、ＶIN１〜ＶIN６…電源端子（電子回路側端子）、ＰＣ１ａ〜ＰＣ６ａ…並列運転制御端子（電子回路側モニタ端子）、ＤＨ１，ＤＨ２…電源配線（電源共通配線）、ＰＣＨ１，ＰＣＨ２…並列運転制御配線（共通モニタ配線）、ＥＣＣ〜ＥＣＣｂ…コネクタ（電源用コネクタ）、ＤＣＣ〜ＤＣＣｂ…コネクタ（電子回路用コネクタ）、ＨＰ…配線（供給配線）、ＤＳ…電子装置、ＥＣＣａ…コネクタ（電源用コネクタ）、ＶINＣ…電源端子（電子回路側端子）、ＰＣＣ…並列運転制御端子（電子回路側モニタ端子）ＰＣＣ、ＤＨＢ…電源配線（中継用ボード共通配線）、ＰＣＨＢ…並列運転制御配線（中継用ボード共通モニタ配線）、ＫＫ…出力・並列接続切替機構（接続切替手段）。
【図１】
0003768813.tif 000002
【図２】
0003768813.tif 000003
【図３】
0003768813.tif 000004
【図４】
0003768813.tif 000005
【図５】
0003768813.tif 000006
【図６】
0003768813.tif 000007
【図７】
0003768813.tif 000008
【図８】
0003768813.tif 000009